(57)【特許請求の範囲】
【請求項１】
基本項目情報と追加項目情報からなる項目情報と数値情報とを、顧客の注文に応じて情報入力手段によって入力し、入力された前記項目情報と前記数値情報とを情報表示部に表示し、しかも伝送手段によってホスト機に伝送する携帯情報処理装置であって、
前記基本項目情報と前記数値情報とを入力する第１の情報入力手段と、前記情報表示部と、前記伝送手段と、第１の接続手段とを具備する本体部と、
前記追加項目情報を入力する第２の情報入力手段と、第２の接続手段とを具備する補助入力部とを備え、
前記本体部と前記補助入力部は、前記第１の接続手段及び前記第２の接続手段を介して着脱可能であり、
前記第１の接続手段及び前記第２の接続手段は、それぞれ電磁誘導による通信手段を備え、
前記通信手段は、前記本体部及び前記補助入力部が、前記第１の接続手段及び前記第２の接続手段を介して接続されているときに、互いに対向配置されるコイルを有し、
前記本体部が単独でも、該本体部に前記補助入力部が接続された状態でも情報処理が可能であり、
前記本体部が単独で情報処理する際、前記第１の接続手段を覆うように取り付けられるとともに、前記コイルを覆う部分に、金属性の電磁誘導遮断材が設けられた保護カバーを備えること
を特徴とする携帯情報処理装置。
【請求項２】
前記保護カバーに、前記本体部の前記第１の情報入力手段を保護する上蓋部が蝶着され
ていること
を特徴とする請求項１に記載の携帯情報処理装置。
【発明の詳細な説明】
【技術分野】
【０００１】
本発明は、注文情報管理システムにおいて、客からの注文を入力し伝送する携帯情報処理装置に関する。
【背景技術】
【０００２】
従来から、レストラン、居酒屋あるいはホテル等で、客から注文された注文データ等を管理するために、注文情報管理システムが使用されている。この注文情報管理システムにおいては、注文入力する際に携帯情報処理装置が用いられている。現在、一般的に用いられている携帯情報処理装置に、本体部と上蓋を兼ねている補助入力部とが蝶着されている携帯情報処理装置がある。該装置では本体部と補助入力部が常に蝶着されており、各種情報入力手段や表示部が本体部と補助入力部とに振り分けられて配置されている。
【０００３】
注文を受けた際に情報入力手段より入力される情報にはメニューなどの項目情報や数量などの数値情報などがある。項目数には同一店舗でもばらつきがあり、例えばランチタイムなどでメニュー数が少ない時間帯の項目情報は基本項目情報だけで済み、逆にディナータイムでメニュー数が多い時間帯の項目情報は追加項目情報が必要となる。
【０００４】
携帯情報処理装置に関する先行技術として、保全性を改善するために携帯情報処理装置の停止状態で本体部と補助入力部とを分離させる技術（例えば、特許文献１参照。）が提案されている。また、項目情報に関する情報入力手段の数を維持したまま操作性を改善するために補助入力部を本体部に対してスライドさせる技術（例えば、特許文献２参照。）が提案されている。
【特許文献１】特開２００２−４２３３０７号公報
【特許文献２】特開平３−２８３２１４号公報
【発明の開示】
【発明が解決しようとする課題】
【０００５】
しかし従来の携帯情報処理装置では、項目数でばらつきがあっても情報入力手段の数が調整できず、項目情報に関する情報入力手段の数を項目数のばらつきの中の最大数に合わせていた。このため、項目数が少なくて済む際にも必要数以上の情報入力手段が配置されており、携帯情報処理装置を使用する操作者の習熟に時間がかかり、また誤操作の可能性が高かった。
【０００６】
本発明は上記の事情を鑑みてなされたものであって、項目情報に関する情報入力手段の数の調整を可能とすることで、初心者でも誤操作なく扱えるとともに、必要に応じて経験者が多様な注文情報処理を行なえる携帯情報処理装置を提供するものである。
【課題を解決するための手段】
【０００７】
上記課題を解決するために、この発明は以下の手段を提案している。
【０００８】
本発明における第１の発明は、基本項目情報と追加項目情報からなる項目情報と数値情報とを、顧客の注文に応じて情報入力手段によって入力し、入力された前記項目情報と前記数値情報とを情報表示部に表示し、しかも伝送手段によってホスト機に伝送する携帯情報処理装置であって、前記基本項目情報と前記数値情報とを入力する第１の情報入力手段と、前記情報表示部と、前記伝送手段と、第１の接続手段とを具備する本体部と、前記追加項目情報を入力する第２の情報入力手段と、第２の接続手段とを具備する補助入力部とを備え、前記本体部と前記補助入力部とは前記第１の接続手段及び前記第２の接続手段を介して着脱可能であって、前記本体部が単独でも、該本体部に前記補助入力部が接続された状態でも情報処理が可能であることを特徴とする。
【０００９】
この第１の発明に係る携帯情報処理装置によれば、項目情報が基本項目情報で十分な場合は本体部のみで情報処理を行い、不足する場合は追加項目情報の情報入力手段を有する補助入力部を接続して情報処理を行うことができる。したがって、必要に応じて項目情報に関する情報入力手段の数を調整することができるため、基本項目情報で十分な場合は初心者でも誤操作なく扱え、不足する場合は補助入力部を接続して経験者が多様な注文情報処理を行なえる。
【００１０】
また第２の発明は、前記第１の接続手段及び前記第２の接続手段は、それぞれ電磁誘導による通信手段を備えることを特徴とする。
【００１１】
この第２の発明に係る携帯情報処理装置によれば、第１の接続手段及び第２の接続手段が電気的に接続されなくても機械的な接続のみで、電磁誘導により情報通信可能に接続されるので、第１・第２の接続手段にケーブルやコネクタなどの配線を表出させなくて済む。これにより特に本体部を単独で使用する際に、第１・第２の接続手段の故障を減少させることができる。
【００１２】
また第３の発明は、前記電磁誘導による通信手段は、前記本体部及び前記補助入力部が、前記第１の接続手段及び前記第２の接続手段を介して接続されているときに、互いに対向配置されるコイルを有することを特徴とする。
【００１３】
この第３の発明に係る携帯情報処理装置によれば、電磁誘導による通信手段として、電磁誘導を発生させる汎用機器であるコイルを用いることで、携帯情報処理装置のコストを削減することができる。
【００１４】
また第４の発明は、前記本体部が単独で情報処理する際、前記第１の接続手段を覆うように取り付けられる保護カバーを備え、該保護カバーの前記コイルを覆う部分に、金属性の電磁誘導遮断材が設けられていることを特徴とする。
【００１５】
この第４の発明に係る携帯情報処理装置によれば、本体部を単独で用いる際に第１の接続手段が保護されるので、故障を減少させることができる。また、第１の接続手段に内設されているコイルへの電磁誘導を遮断できるので、携帯情報処理装置外部からの情報の誤入力をなくすことができる。
【００１６】
また第５の発明は、前記保護カバーに、前記本体部の前記第１の情報入力手段を保護する上蓋部が蝶着されていることを特徴とする。
【００１７】
この第５の発明に係る携帯情報処理装置によれば、本体部を単独で用いる際でも第１の情報入力手段が上蓋により保護されているので、情報を入力する意図がないときの誤入力を防止することができる。
【００１８】
また第６の発明は、基本項目情報と追加項目情報からなる項目情報と数値情報とを、顧客の注文に応じて情報入力手段によって入力し、入力された前記項目情報と前記数値情報とを情報表示部に表示し、しかも伝送手段によってホスト機に伝送する携帯情報処理装置に主体的に設けられる本体部であって、前記基本項目情報と前記数値情報とを入力する第１の情報入力手段と、前記情報表示部と、前記伝送手段と、第１の接続手段とを具備し、単独で情報処理が可能であり、前記第１の接続手段が、前記追加項目情報を入力する第２の情報入力手段を具備する補助入力部の第２の接続手段と接続可能であることを特徴とする。
【００１９】
この第６の発明に係る携帯情報処理装置の本体部によれば、項目情報が基本項目情報で十分な場合は本体部のみで情報処理を行い、不足する場合は追加項目情報の情報入力手段を有する補助入力部を接続して情報処理を行うことができる。したがって、必要に応じて項目情報に関する情報入力手段の数を調整することができるため、基本項目情報で十分な場合に初心者でも本体部のみを誤操作なく容易に扱うことができる。基本項目情報のみでは不足する場合には、補助入力部を電気的な接続なしに機械的に本体部に接続するのみで、経験者が追加項目情報を含む多様な注文情報処理を行なうことができる。
【００２０】
また第７の発明は、基本項目情報と追加項目情報からなる項目情報と数値情報とを、顧客の注文に応じて情報入力手段によって入力し、入力された前記項目情報と前記数値情報とを情報表示部に表示し、しかも伝送手段によってホスト機に伝送する携帯情報処理装置に付随的に設けられる補助入力部であって、前記追加項目情報を入力する第２の情報入力手段と、第２の接続手段とを具備しており、前記基本項目情報と前記数値情報とを入力する第１の情報入力手段と、前記情報表示部と、前記伝送手段とを具備し、当該携帯情報処理装置に主体的に設けられている本体部の第１の接続手段と、前記第２の接続手段が接続可能であることを特徴とする。
【００２１】
この第７の発明に係る携帯情報処理装置の補助入力部によれば、本体部の基本項目情報のみでは不足することとなった場合に、本体部を改造することなく容易に本体部に接続でき、追加項目情報を含む多様な注文情報処理を行なうことができる。
【発明の効果】
【００２２】
本発明の携帯情報処理装置によれば、本体部と補助入力部とを着脱可能とし、本体部が単独でも、補助入力部が接続された状態でも情報処理が可能であることで、項目情報に関する情報入力手段の数の調整ができ、初心者でも誤操作なく扱えるとともに、必要に応じて経験者が多様な注文情報処理を行なえる携帯情報処理装置を提供することが可能となる。
【発明を実施するための最良の形態】
【００２３】
本発明における携帯情報処理装置の実施形態について、図面を参照しながら説明する。図１は、本発明の実施形態の注文情報管理システムの構成を示す図である。本実施形態に係る注文情報管理システムは、顧客の注文に応じて操作者が項目情報と数量情報とからなる注文情報を入力、伝送する携帯情報処理装置１と、注文情報の保持とシステムの管理を行うホスト機Ｅ１と、店舗の壁や天井に設置される複数の無線制御装置Ｅ２と、厨房等に設置される複数のレストランプリンタＥ３とが通信ネットワークにより接続されることで構成されている。
【００２４】
図２は、本発明の実施形態の携帯情報処理装置を示す構成図である。携帯情報処理装置１は、主操作に用いられる本体部２と、本体部２と着脱可能な補助入力部３とで構成される。
【００２５】
本体部２は、注文情報を入力する第１の情報入力手段２１と、入力された注文情報を表示する情報表示部２２と、入力された注文情報を処理し、また処理した注文情報をホスト機Ｅ１へ伝送する伝送手段を内設する回路基板２３と、本体部の一方の長手の側面に配設された第１の接続手段２４と、図示されない電源である電池パックとを備える。
【００２６】
第１の情報入力手段２１は、項目情報の中でも時間帯によらず使われる基本項目情報を入力するための基本メニューキー２１１と、数値情報を入力するためのテンキー２１２と、入力した注文情報を回路基板２３に伝送させるトリガーとなるデータを入力する情報送信キー２１３とを備える。
【００２７】
これら第１の情報入力手段２１の各キー２１１、２１２、２１３は、耐水性や防塵性を考慮してメンブレンスイッチで構成されている。また、基本メニューキー２１１は、図示しないメニューシートが着脱可能となっており、料理などのメニュー内容を容易に変更できるようになっている。
【００２８】
基本メニューキー２１１に割り当てられているメニューは、１キーにつき１メニューとなっており、図２に示す例では、１つのメニューシートに最大１６種類のメニューを割り当てることが可能である。基本メニューキー２１１におけるメニュー例としては、例えばランチタイム用のＡランチ、Ｂランチ、コーヒー、紅茶、サラダなどがある。
【００２９】
基本メニューキー２１１は、１キーにつき１メニューの構成となっているため、携帯情報処理装置１の操作に慣れていない初心者でも、迷うことなく正しい入力操作を行なうことができる。
【００３０】
図３は、本発明の実施形態の携帯情報処理装置１を示す斜視図である。この図３に示すように、第１の接続手段２４には、本体部２の長手方向に所定間隔を空けて２つの雌ねじ２４１が形成されている。雌ねじ２４１の一方の近傍には、回路基板２３に電気的に接続された１対の第１のコイル２４２が設けられている。１対の第１のコイル２４２は、後述する補助入力部３の１対の第２のコイル３２２と電磁誘導によって無線通信することで、通信手段として機能するようになっている。１対の第１のコイル２４２のうち、一方のコイルは注文データ等の信号受信用であり、他方のコイルは電力供給用である。同様に、１対の第２のコイル３２２のうち、一方のコイルは注文データ等の信号送信用であり、他方のコイルは電力受給用である。
【００３１】
これら１対の第１のコイル２４２及び１対の第２のコイル３２２は、本体部２の第１の接続手段２４と、補助入力部３の第２の接続手段３２とが互いに接続される際に、第１のコイル２４２の電力供給用コイルと、第２のコイル３２２の電力受給用コイルとが互いに対向するように配置されている。同様に、第１のコイル２４２の信号受信用コイルと、第２のコイル３２２の信号送信用コイルとが互いに対向するように配置されている。効率の良い信号通信及び電力供給を行なうためには、送り側及び受け側の互いの通信回路の共振周波数を等しく合せておくことが好ましい。
【００３２】
第１のコイル２４２が無線通信で得られた情報は、本体部２の回路基板２３へ送信される。また、第１の接続手段２４にはコイル保護シート（防水シート）２４３が貼り付けられており、第１のコイル２４２に水分や塵埃等が浸入しないようになっている。
【００３３】
また、第１の接続手段２４には保護カバー４１が取り付け可能である。保護カバー４１は、本体部２の雌ねじ２４１に螺合可能な雄ねじが形成された２つのねじ部材（雄ねじ部）４１１と、第１のコイル２４２を覆う部分に配置された電磁誘導遮断材４１２とを備える。電磁誘導遮断材４１２は略板状の金属で、外部からのノイズによって第１のコイル２４２が誤作動することを防止する。
【００３４】
一方、図２に示される補助入力部３は、項目情報の中でも時間帯によって不要になる追加項目情報を入力する、第２の入力手段である追加メニューキー３１１及び入力された情報を本体部２に送信するための回路基板３１２を備えるパネル部３１と、パネル部３１の長手方向の一方に蝶着されている第２の接続手段３２とを備える。
【００３５】
追加メニューキー３１１は、耐水性や防塵性を考慮してメンブレンスイッチで構成されている。また、追加メニューキー３１１は、図示しないメニューシートが着脱可能となっており、料理などのメニュー内容を容易に変更できるようになっている。
【００３６】
追加メニューキー３１１に割り当てられているメニューは、１キーにつき複数のメニューとなっている。本実施形態の例では、例えば１つのキーの２行目に書かれているメニューを選択して入力するための方法は、まず本体部２のテンキー２１２の「２」を押してから、追加メニューキー３１１の当該メニューが記載されているキーを押すという方法である。しかしながら、テンキー２１２を押すことなく、追加メニューキー３１１の当該メニューが記載されているキーを２回押す、という方法でも良い。
【００３７】
追加メニューキー３１１は、１キーにつき複数メニューの構成となっているため、携帯情報処理装置１の操作に慣れていない初心者には操作が複雑であり、入力に時間が掛かったり入力ミスが発生したりする可能性がある。しかしながら、追加メニューキー３１１を備えた補助入力部３のない、本体部２のみの携帯情報処理装置１であれば初心者にでも操作可能である。
【００３８】
尚、追加メニューキー３１１におけるメニュー例としては、例えば夕食用のメニューとして１番目のキーに、生ビール、瓶ビール、焼酎、ウイスキーの４種、２番目のキーに、肉じゃが、鳥唐揚げ、ウインナー、シューマイの４種などがある。追加メニューキー３１１を備える補助入力部３が接続された携帯情報処理装置１の操作は複雑ではあるが、１台でも多種類のメニューに対応することができる。
【００３９】
第２の接続手段３２には、第１の接続手段２４の雌ねじ２４１に螺合可能な雄ねじが形成された２つのねじ部材（雄ねじ部）３２１と、回路基板３１２と電気的に接続された第２のコイル３２２が外表面から突出しないように設けられている。本体部２と同様に、第２の接続手段３２の外表面には、第２のコイル３２２を覆うコイル保護シート（防水シート）３２３が貼り付けられており、水滴や塵埃等が第２のコイル３２２に侵入しないようになっている。
【００４０】
このように構成された携帯情報処理装置１を使用する場合について、以下に説明する。
【００４１】
まず、メニュー数が少なく、項目情報が基本項目情報で足りるときは本体部２を主体的に単独で用いる。顧客より注文を受けた場合、基本メニューキー２１１で料理メニューやドリンクメニューなどの項目情報を、テンキー２１２でテーブル番号や人数などの数量情報を入力する。入力した内容を情報表示部２２で確認した後、情報送信キー２１３を入力し、回路基板２３より無線制御装置Ｅ２へと注文情報を発信することができる。なお本体部２を単独で用いる場合、第１の接続手段２４を保護するために保護カバー４１を取り付ける。
【００４２】
次に、メニュー数が多く、項目情報が基本項目情報で足りずに追加項目情報が必要なときは主体である本体部２に付随的に補助入力部３を接続する。接続のためにまず、本体部２の第１の接続手段２４と補助入力部３の第２の接続手段３２とを対向配置させ、雌ねじ２４１とねじ部材３２１とが対向配置されるように位置決めする。位置決め後、ねじ部材３２１の雄ねじを雌ねじ２４１に螺合させて、本体部２と補助入力部３とを固定する。
【００４３】
この際、第１のコイル２４２と第２のコイル３２２とが対向配置されて電磁誘導による通信が可能な状態となる。これにより本体部２の電池パックから補助入力部３に電力が供給されると共に、本体部２の回路基板２３と補助入力部３の回路基板３１２及び追加メニューキー３１１とが通信可能な状態となる。したがって追加メニューキー３１１で入力した注文情報も、本体部２を経由して無線制御装置Ｅ２へ送信することが可能となる。
【００４４】
以上に述べた本発明における携帯情報処理装置の実施形態によれば、本体部２を主体的に単独で用いても、補助入力部３を付随的に接続しても情報処理が可能となるため、項目情報の情報入力手段の数の調整ができる。これにより、操作者が短期間で誤操作なく扱える携帯情報処理装置を提供することが可能となる。
【００４５】
また第１の接続手段２４及び第２の接続手段３２の情報通信手段として、電磁誘導を発生させる汎用機器であるコイルを用いるので、配線が露出せず保全性が高く、またコストも抑えることができる。更に本体部２を単独で用いる際も第１の接続手段２４に保護カバー４１を備えるので保全性が高いばかりか、電磁誘導遮断材４１２により外部ノイズによる電磁誘導も防止することができる。
【００４６】
図４は、本発明の実施形態の第１の情報入力装置を保護する上蓋付カバーを示す構成図である。本体部２には保護カバー４１の代わりに、この図に示す上蓋付カバー４２を取り付けることもできる。上蓋付カバー４２は保護カバー４１と、保護カバー４１の長手方向の一方に蝶着されている上蓋部４２３とを備え、上蓋部４２３を第１の情報入力手段２１に対向する位置まで回動させることで、第１の情報入力手段２１を保護することができる。
【００４７】
さらに本発明によれば、本体部と補助入力部とが分離できるので、本体部のみの販売や補助入力部のみの販売も可能となる。例えばメニュー数が少ない店舗は本体部のみ購入すればよく、またメニュー数が増加した場合は補助入力部のみを追加購入すればよい。本体部もしくは補助入力部の一方が故障した場合でも片方のみ購入し交換すればよい。したがって店舗にとってはコスト削減効果にもつながる。
【００４８】
以上、本発明における携帯情報処理装置の実施形態について図面を参照して詳述したが、具体的な構成は上記実施形態に限られるものではなく、本発明の要旨を逸脱しない範囲の設計変更等も含まれる。例えば上記実施形態では、注文情報管理システムを図１に示す構成としたが、この構成に限られるものではない。
【００４９】
また上記実施形態では、第１の接続手段２４及び第２の接続手段３２の情報通信手段として第１のコイル２４２及び第２のコイル３２２を用いた。しかし情報通信が可能であればコイルを用いなくてもかまわない。
【００５０】
また上記実施形態では、本体部２を単独で用いる際に保護カバー４１や上蓋付カバー４２を用いたが、これらは用いなくてもかまわない。
【図面の簡単な説明】
【００５１】
【図１】本発明の実施形態の注文情報管理システムの構成を示す図である。
【図２】本発明の実施形態の携帯情報処理装置を示す構成図である。
【図３】本発明の実施形態の携帯情報処理装置を示す斜視図である。
【図４】本発明の実施形態の第１の情報入力装置を保護する上蓋付カバーを示す構成図である。
【符号の説明】
【００５２】
１        携帯情報処理装置
２        本体部
２１      第１の情報入力手段
２２      情報表示部
２３      回線基板（伝送手段）
２４      第１の接続手段
３        補助入力部
３１１    追加メニューキー（第２の情報入力手段）
３２      第２の接続手段
４１      保護カバー
４１２    電磁誘導遮断材
４２３    上蓋部
Ｅ１      ホスト機
【図１】
0005144176.tif 000002
【図２】
0005144176.tif 000003
【図３】
0005144176.tif 000004
【図４】
0005144176.tif 000005